(57)【要約】【課題】表示画面において画像を移動する操作（スクロール）や、画像を拡大または縮小する等の表示操作を容易かつ確実に実行することができる携帯端末を提供することを目的とするものである。【解決手段】人が片手で保持することができる携帯端末において、図または文字の情報を表示する画面と、上記携帯端末を保持する人が所定操作を行うと、上記所定操作が行なわれた旨を示す所定操作実行中信号を出力する所定操作部と、上記所定操作実行中信号を入力し、上記所定操作を実行している期間に、上記画面の正面に存在している物体までの距離を、複数回測定し、上記測定された距離の変化量を求める距離測定部と、上記測定された距離の変化量に応じて、上記画面に表示すべき画像を拡大または縮小処理し、上記画面に出力する画像処理部とを有することを特徴とする携帯端末である。【選択図】  図４
2004266683.tif 000002
【特許請求の範囲】
【請求項１】
人が片手で保持することができる携帯端末において、
図または文字の情報を表示する画面と；
上記携帯端末を保持する人が所定操作を行うと、上記所定操作が行なわれた旨を示す所定操作実行中信号を出力する所定操作部と；
上記所定操作実行中信号を入力し、上記所定操作を実行している期間に、上記画面から上記画面の正面に存在している物体までの距離を、複数回測定し、上記測定された距離の変化量を求める距離測定部と；
上記測定された距離の変化量に応じて、上記画面に表示すべき画像を拡大または縮小処理し、上記画面に出力する画像処理部と；
を有することを特徴とする携帯端末。
【請求項２】
請求項１において、
上記画像処理部は、上記測定した距離Ｌから、初回測定距離Ｌｓを差し引いた距離の変化量Ｌｄを求め、また、表示変化量Ｚ（Ｚ＝ｅｘｐ（Ｌｄ／Ｌｎ））を求める処理部であり（Ｌｎは、距離の変化量の基準値）、表示変化量Ｚを拡大率として、上記画面に表示すべき画像を拡大または縮小する処理部であることを特徴とする携帯端末。
【請求項３】
請求項２において、
上記距離測定部は、超音波を画面正面に存在している物体に向けて送出し、反射波が戻るまでの時間を計測し、この計測された時間に基づいて、測定距離Ｌを演算し、この演算された測定距離Ｌを上記画像処理部に出力する手段であることを特徴とする携帯端末。
【請求項４】
人が片手で保持することができる携帯端末において、
図または文字の情報を表示する画面と；
上記画面の正面に存在している物体を撮影するカメラと；
上記携帯端末を保持する人が所定操作を行うと、上記所定操作が行なわれた旨を示す所定操作実行中信号を出力する所定操作部と；
上記所定操作実行中信号を入力し、上記所定操作を実行している期間に、上記画面の正面に存在している物体を、複数回撮影し、これら撮影された画像中の所定の２点間の距離の変化に応じて、上記画面に表示すべき画像を拡大または縮小処理し、上記画面に出力する画像処理部と；
を有することを特徴とする携帯端末。
【請求項５】
請求項４において、
上記画像処理部は、上記カメラと上記物体との相対位置の変化量である表示変化量（Ｈｄ，Ｖｄ）を求め（Ｈｄは横方向の変化量、Ｖｄは縦方向の変化量）、上記表示変化量（Ｘｄ，Ｙｄ）を、以下の式によって求める（Ｌｎは距離の変化量の基準値）手段であり、
Ｘｄ＝Ｈｄ／Ｌｎ、
Ｙｄ＝Ｖｄ／Ｌｎ、
また、上記画像処理部は、表示変化量Ｘｄを、表示領域の左右移動量として、表示変化量Ｙｄを、表示領域の上下移動量として、表示領域の移動を行う手段であることを特徴とする携帯端末。
【発明の詳細な説明】
【０００１】
【発明の属する技術分野】
本発明は、人が片手で保持することができる携帯端末に関する。
【０００２】
【従来の技術】
携帯端末の画面の大きさに制約があり、この画面の大きさの制約を解消するには、表示画面において画像を移動する操作（スクロール）や、画像を拡大または縮小する等の表示操作を実行すればよい。
【０００３】
携帯端末の表示を簡単に操作するには、振動検出装置を利用した従来例１が知られている（たとえば特許文献１参照）。また、傾き検出装置を利用した従来例２（たとえば特許文献２参照）、従来例３（たとえば特許文献３参照）が知られている。さらに、携帯端末の移動を検知するためにマウスボールを利用する従来例４（たとえば特許文献４参照）が知られている。
【０００４】
【特許文献１】
特開平１１−３０５７４８号公報
【特許文献２】
特開平１１−３０５９１８号公報
【特許文献３】
特開２００２−１４９６１６号公報
【特許文献４】
特開平７−２９５９３７号公報
【０００５】
【発明が解決しようとする課題】
しかし、上記従来例１では、振動検出装置を利用するので、電車・バスの乗車中に使用すると、誤動作する可能性があるという問題がある。
【０００６】
また、従来例２や従来例３では、傾き検出装置を利用するので、電車・バスの乗車中に使用すると、誤動作の可能性があるという問題があり、また、携帯端末を傾けると、表示が見難くなるという問題がある。
【０００７】
さらに、従来例４では、携帯端末の移動を検知するためにマウスボールを利用するので、その操作を行う場合、平らな面上で操作する必要があり、利用状況が限定されるという問題がある。
【０００８】
つまり、上記従来例では、表示画面において画像を移動する操作（スクロール）や、画像を拡大または縮小する等の表示操作を容易かつ確実に実行することができないという問題がある。
【０００９】
本発明は、表示画面において画像を移動する操作（スクロール）や、画像を拡大または縮小する等の表示操作を容易かつ確実に実行することができる携帯端末を提供することを目的とするものである。
【００１０】
【課題を解決するための手段】
本発明は、人が片手で保持することができる携帯端末において、図または文字の情報を表示する画面と、上記携帯端末を保持する人が所定操作を行うと、上記所定操作が行なわれた旨を示す所定操作実行中信号を出力する所定操作部と、上記所定操作実行中信号を入力し、上記所定操作を実行している期間に、上記画面の正面に存在している物体までの距離を、複数回測定し、上記測定された距離の変化量を求める距離測定部と、上記測定された距離の変化量に応じて、上記画面に表示すべき画像を拡大または縮小処理し、上記画面に出力する画像処理部とを有することを特徴とする携帯端末である。
【００１１】
【発明の実施の形態および実施例】
［第１の実施例］
図１は、本発明の第１の実施例である携帯端末Ｔ１を、その使用状態とともに示す図である。
【００１２】
図２は、携帯端末Ｔ１を示すブロック図である。
【００１３】
携帯端末Ｔ１は、人Ｐが片手で保持でき、片手で保持した状態で表示操作することができる携帯端末であり、所定操作部１０と、距離測定部２０と、画像処理部３０と、画面４０とを有する。
【００１４】
所定操作部１０は、携帯端末Ｔ１を片手で保持した状態で押すことができる位置に配置された押ボタンであり、携帯端末Ｔ１を保持する人Ｐが、押ボタンを押しているときに、押ボタンが押されていることを示す所定操作実行中信号を出力する。所定操作部１０は、レバー等、押しボタン以外の操作部であってもよい。
【００１５】
つまり、所定操作部１０は、携帯端末を保持する人が所定操作を行うと、上記所定操作が行なわれた旨を示す所定操作実行中信号を出力する所定操作部の例である。
【００１６】
距離測定部２０は、画像処理部３０から入力した距離測定要求に応じて、画面４０から、画面４０の正面に存在している物体（画面４０を見る人Ｐの顔が、画面４０の正面に物体として存在していると推定される）までの距離を、超音波距離測定法を用いて測定し、測定距離として画像処理部３０に出力する。
【００１７】
つまり、距離測定部２０は、上記所定操作実行中信号を入力し、人Ｐが所定操作を実行している期間に、画面の正面に存在している物体までの距離を、複数回測定し、上記測定された距離の変化量を求める距離測定部の例である。
【００１８】
画像処理部３０は、所定操作部１０から、上記所定操作実行中信号を入力し、上記所定操作実行中信号を入力している期間、つまり、上記所定操作が行なわれている期間に、距離測定部２０に、複数回の距離測定を行なわせ、距離測定部２０による測定結果から距離の変化量を求め、距離の変化量を表示変化量に変換するものである。また、画像処理部３０は、上記変換された表示変化量に応じて、画像（画像情報）を、拡大または縮小処理し、この拡大または縮小処理された画像を、画面４０に出力する。
【００１９】
つまり、画像処理部３０は、測定された距離の変化量に応じて、画面に表示すべき画像を拡大または縮小処理し、上記画面に出力する画像処理部の例である。
【００２０】
画面４０は、図または文字の情報を表示可能な画面である。
【００２１】
次に、携帯端末Ｔ１の動作について説明する。
【００２２】
図３は、携帯端末Ｔ１のブロック図に、動作を書き加えた図である。
【００２３】
図４は、携帯端末Ｔ１の動作を示すフローチャートである。
【００２４】
まず、Ｓ１では、所定操作になるまで待ち、所定操作になれば、つまり、押しボタンが押されると、Ｓ２では、距離測定部２０に距離測定要求を出力する。
【００２５】
Ｓ３では、上記距離測定要求に応じて距離測定部２０が測定した測定距離Ｌを画像処理部３０が入力し、上記測定距離Ｌを初回測定距離Ｌｓとして保持する。
【００２６】
Ｓ４では、所定操作が終了したか否かを判断し、所定操作が終了すると（押しボタンの押圧が終了すると）、Ｓ５では、画像処理部３０が距離測定部２０に距離測定要求を出力する。
【００２７】
Ｓ６では、上記距離測定要求に応じて、距離測定部２０が新たに測定した測定距離Ｌを、画像処理部３０が入力し、Ｓ７では、画像処理部３０が、測定距離Ｌから初回測定距離Ｌｓを差し引き、この差し引いた結果を、距離の変化量Ｌｄとして求める。つまり、画像処理部３０が、Ｌｄ＝Ｌ−Ｌｓを演算する。
【００２８】
Ｓ８では、画像処理部３０が、表示変化量Ｚを、Ｚ＝ｅｘｐ（Ｌｄ／Ｌｎ）の式によって求める。ここで、Ｌｎは、画面４０から、画面４０の正面に存在している人Ｐの顔までの距離の変化量を求める場合の基準値である。
【００２９】
Ｓ９では、表示変化量Ｚを、拡大率とし、画像処理部３０が、画像を拡大または縮小し、この拡大または縮小された画像を、画面４０に出力する。その後、Ｓ１に戻る。
【００３０】
携帯端末Ｔ１によれば、ボタン操作（所定操作）し、また、携帯端末Ｔ１を前後移動しさえすれば、携帯端末Ｔ１を片手で持ちながら、画面４０に表示される画像を、拡大または縮小することができる。
【００３１】
したがって、携帯端末Ｔ１では、小さい画像が画面４０に表示され、この画像が小さいために見難い場合、見難い画像を見易くするために、人Ｐの顔を、携帯端末Ｔ１から遠ざければよく、これによって、小さくて見難い画像を拡大表示することができ、この画像拡大操作が容易である。
【００３２】
一方、携帯端末Ｔ１では、画像の一部しか見ることができない場合に、その画像の全体を把握するためには、縮小表示することがよく、縮小表示するには、人Ｐの顔を、携帯端末Ｔ１に近付ければよく、これによって、一部しか見ることができない画像の全体を見ることができ、この画像縮小操作が容易である。
【００３３】
なお、上記とは逆に、画像が小さいために見難い場合、見難い画像を見易くするために、人Ｐの顔を、携帯端末Ｔ１に近付ければよく、これによって、小さくて見難い画像を拡大表示することができ、この画像拡大操作が容易である。そして、画像の一部しか見ることができない場合に、その画像の全体を把握するためには、縮小表示することがよく、縮小表示するには、人Ｐの顔を、携帯端末Ｔ１から遠ざければよく、これによって、一部しか見ることができない画像の全体を見ることができ、この画像縮小操作が容易である。
【００３４】
［第２の実施例］
図５は、携帯端末Ｔ１の変形動作を示すフローチャートであり、第２の実施例を示すフローチャートである。
【００３５】
まず、Ｓ１１では、所定操作となるまで待ち、所定操作があれば、Ｓ１２では、所定操作の開始時に、画像処理部３０が、距離測定部２０に距離測定要求を出力し、Ｓ１３では、距離測定部２０が、上記距離測定要求に応じて、距離測定部２０から人Ｐの顔までの距離Ｌを測定し、距離測定部２０が測定した測定距離Ｌを入力し、上記測定距離Ｌを、初回測定距離Ｌｓとして画像処理部３０が保持する。
【００３６】
Ｓ１４では、前回の距離測定要求から、時間Ｔが経過したか否かを判断する。上記時間Ｔは、人Ｐが、その手で携帯端末Ｔ１を前後させる時間よりも充分に短い時間である。
【００３７】
時間Ｔが経過すれば、Ｓ１５では、距離測定部２０に距離測定要求を出力し、新たに、時間Ｔを計測するタイマを始動する。上記タイマは、画像処理部３０または、それ以外に設けられている。
【００３８】
Ｓ１６では、距離測定部２０が上記距離測定要求に応じて測定した距離を、測定距離Ｌとし、この測定距離Ｌを、画像処理部３０が入力する。Ｓ１７では、画像処理部３０が、測定距離Ｌから初回測定距離Ｌｓを差し引き、この差し引いた距離を、距離の変化量Ｌｄとする。なお、Ｌｎは、距離の変化量を求める場合の基準値である。
【００３９】
そして、Ｓ１８では、表示変化量Ｚを、Ｚ＝ｅｘｐ（Ｌｄ／Ｌｎ）の式から求める。
【００４０】
Ｓ１９では、表示変化量Ｚを拡大率とし、画像を拡大または縮小し、この拡大または縮小された画像（画面情報）を、画面４０に出力する。そして、Ｓ２０では、所定操作（押しボタンを押す動作）があれば、Ｓ１４に戻り、所定操作がなければ、Ｓ１１に戻る。
【００４１】
携帯端末Ｔ２によれば、携帯端末Ｔ１の効果に加えて、拡大または縮小動作の途中の状態を、画面４０に表示するので、人Ｐが望む適切な拡大率を自由に確定することができる。
【００４２】
［第３の実施例］
図６は、本発明の第３の実施例である携帯端末Ｔ２を、その使用状態とともに示す図である。
【００４３】
図７は、携帯端末Ｔ２を示すブロック図である。
【００４４】
携帯端末Ｔ２は、人Ｐが片手で保持でき、片手で保持した状態で表示操作することができる携帯端末であり、所定操作部１０と、カメラ２１と、画像処理部３１と、画面４０とを有する。
．  カメラ２１は、画像処理部３１が受信した撮影要求に応じて、カメラ２１の前に存在している物体（人Ｐの顔）を撮影するカメラである。
【００４５】
画像処理部３１は、上記所定操作実行中信号を入力し、上記所定操作を実行している期間に、画面４０の正面に存在している物体（人Ｐの顔）を、複数回撮影し、これら撮影された画像中の所定の２点間の距離の変化に応じて、画面４０に表示すべき画像を、拡大または縮小処理し、上記画面に出力する画像処理部である。
【００４６】
次に、携帯端末Ｔ２の動作について説明する。
【００４７】
図８は、携帯端末Ｔ２のブロック図に、動作を書き加えた図である。
【００４８】
図９は、携帯端末Ｔ２の動作を示すフローチャートである。
【００４９】
まず、Ｓ３１では、所定操作になるまで待ち、所定操作があれば、Ｓ３２では、所定操作の開始時に、画像処理部３１が、カメラ２１に撮影要求を出力する。
【００５０】
Ｓ３３では、カメラ２１が撮影した撮影画像を画像処理部３１が入力し、この入力した撮影画像から、人Ｐの顔位置情報Ｉｐを求め、この顔位置情報Ｉｐ（今回の位置情報）を顔位置情報Ｉｐ’（前回の位置情報）として、画像処理部３１が保持し、表示変化量（Ｘｄ’，Ｙｄ’）を、（０，０）に初期化する。
【００５１】
Ｓ３４では、前回の撮影要求から、時間Ｔが経過するまで、次の処理を待つ。時間Ｔは、人Ｐが、その手で携帯端末Ｔ１を前後させる時間よりも充分短い時間である。時間Ｔが経過すれば、Ｓ３５では、画像処理部３１が、カメラ２１に撮影要求を出力し、時間Ｔを計測するタイマを始動する。
【００５２】
Ｓ３６では、上記撮影要求に応じてカメラ２１が測定した撮影画像を、画像処理部３１が入力し、上記撮影画像から顔位置情報Ｉｐを求め、顔位置情報Ｉｐ’として保持する。
【００５３】
Ｓ３７では、前回撮影したときにおける顔位置情報Ｉｐ’と、今回撮影したときにおける顔位置情報Ｉｐとから、カメラ２１と人Ｐの顔との相対位置の変化量（Ｈｄ，Ｖｄ）を求める。ここで、Ｈｄは、横方向の相対変化量であり、Ｖｄは、縦方向の相対変化量である。
【００５４】
Ｓ３８では、表示変化量（Ｘｄ，Ｙｄ）を、次の式によって求める。
【００５５】
Ｘｄ＝Ｘｄ’＋Ｈｄ／Ｌｎ、
Ｙｄ＝Ｙｄ’＋Ｖｄ／Ｌｎ、
Ｌｎは、距離の変化量を求める場合における基準値である。
【００５６】
Ｓ３９では、表示変化量（Ｘｄ，Ｙｄ）を、表示変化量（Ｘｄ’，Ｙｄ’）として保持し、Ｓ４０では、所定操作があれば、Ｓ３４に戻り、所定操作がなければ、Ｓ４１に進み、Ｓ４１では、表示変化量Ｘｄを、画像の左右方向移動量（表示領域の左右移動量）とし、画像を移動し、表示変化量Ｙｄを、画像の上下方向の移動量（表示領域の上下移動量）とし、画像を移動し、Ｓ３１に戻る。
【００５７】
つまり、物体（人Ｐの顔）を、複数回撮影し、これら撮影された画像中の所定の２点間の距離の変化に応じて、画像処理部３１が、上記画面に表示すべき画像を拡大または縮小処理し、画面４０に出力する。
【００５８】
携帯端末Ｔ２によれば、指によるボタン操作と携帯端末Ｔ２の移動という簡易な動作によって、画像の移動（縦・横スクロール等）が可能である。つまり、携帯端末Ｔ２を片手で持ちながら、携帯端末Ｔ２を移動することによって、表示操作することができる。
【００５９】
カメラ２１として、携帯端末Ｔ２に付属している静止画または動画を撮影するカメラを利用できるので、新たなデバイスを追加する必要がない。
【００６０】
また、携帯端末Ｔ２の移動方向、距離を、それぞれ、画面４０の移動方向、距離に一致させることによって、大画面の一部を、携帯端末Ｔ２の小さい画面で、覗き見る感覚で、表示操作することができるので、感覚的な表示操作をすることができる。
【００６１】
［第４の実施例］
図１０は、携帯端末Ｔ２の変形動作を示すフローチャートであり、第４の実施例を示すフローチャートである。
【００６２】
まず、Ｓ５１では、所定操作になるまで待つ。Ｓ５２では、カメラに撮影要求を出力し、時間Ｔを計測するタイマを始動する。
【００６３】
Ｓ５２では、カメラ２１が上記撮影要求に応じて測定した撮影画像を、画像処理部３１が入力し、時間Ｔを計測するタイマを始動する。時間Ｔは、人Ｐが、その手によって携帯端末Ｔ１を前後させる時間よりも充分に短い時間である。
【００６４】
Ｓ５３では、上記撮影画像から顔位置情報Ｉｐを求め、画像処理部３１が、顔位置情報Ｉｐ’として保持する。
【００６５】
Ｓ５４では、前回の撮影要求から、時間Ｔが経過するまで、次の処理を待ち、時間Ｔが経過すれば、Ｓ５５では、カメラ２１に撮影要求を出力し、時間Ｔを計測するタイマを始動する。
【００６６】
Ｓ５６では、カメラが上記撮影要求に応じて測定した撮影画像を入力し、上記撮影画像から顔位置情報を求め、顔位置情報Ｉｐとして保持する。
【００６７】
Ｓ５７では、前回の撮影における顔位置情報Ｉｐ’と、今回の撮影における顔位置情報Ｉｐとから、カメラ２１と人Ｐの顔との相対位置の変化量（Ｈｄ，Ｖｄ）を求める。Ｈｄは、横方向の相対変化量であり、Ｖｄは、縦方向の相対変化量である。そして、顔位置情報Ｉｐを顔位置情報Ｉｐ’として保持する。
【００６８】
Ｓ５８では、表示変化量（Ｘｄ，Ｙｄ）を、次の式によって求める。
【００６９】
Ｘｄ＝Ｈｄ／Ｌｎ、
Ｙｄ＝Ｖｄ／Ｌｎ、
Ｌｎは、距離の変化量を求める場合における基準値である。
【００７０】
Ｓ５９では、表示変化量Ｘｄを、画像の左右移動量（表示領域の左右移動量）として、画像を移動し、表示変化量Ｙｄを、画像の上下移動量（表示領域の上下移動量）とし、画像を移動する。このようにして、画像の表示位置変化を画面に反映させる。
【００７１】
Ｓ６０では、所定操作があれば、Ｓ５４に戻り、所定操作がなければ、Ｓ５１に戻る。
【００７２】
第４の実施例によれば、第３の実施例の効果に加えて、移動途中の画像を画面に表示するので、適切な移動量を確定することができる。
【００７３】
つまり、上記実施例によれば、画面の正面に存在している物体までの距離の変化量に応じて、表示領域を拡大または縮小させ、画面に表示し直すので、所定操作と携帯端末の前後移動という簡易な動作とによって、画面を拡大、縮小することができる。
【００７４】
また、上記実施例によれば、携帯端末を前後方向に移動しさえすれば、上記前後方向の変化量に応じて、表示領域を拡大または縮小させることができる。
【００７５】
さらに、上記実施例によれば、携帯端末を上下方向に移動しさえすれば、上記上下方向の変化量に応じて、画像を上下にスクロールすることができる。
【００７６】
上記実施例によれば、携帯端末を左右方向に移動しさえすれば、上記左右方向の変化量に応じて、画像を左右にスクロールすることができる。
【００７７】
これによって、所定操作と携帯端末の移動という簡易な動作によって、画面の拡大・縮小や、表示領域の移動（縦・横スクロール等）が可能である。
【００７８】
【発明の効果】
本発明によれば、画面の正面に存在している物体までの距離の変化量に応じて、画面における画像を拡大または縮小させ、表示し直すので、所定操作と携帯端末の前後移動という簡易な動作とによって、画面を拡大、縮小することができるという効果を奏する。
【図面の簡単な説明】
【図１】本発明の第１の実施例である携帯端末Ｔ１を、その使用状態とともに示す図である。
【図２】携帯端末Ｔ１を示すブロック図である。
【図３】携帯端末Ｔ１のブロック図に、動作を書き加えた図である。
【図４】携帯端末Ｔ１の動作を示すフローチャートである。
【図５】携帯端末Ｔ１の変形動作を示すフローチャートであり、第２の実施例を示すフローチャートである。
【図６】本発明の第３の実施例である携帯端末Ｔ２を、その使用状態とともに示す図である。
【図７】携帯端末Ｔ２を示すブロック図である。
【図８】携帯端末Ｔ２のブロック図に、動作を書き加えた図である。
【図９】携帯端末Ｔ２の動作を示すフローチャートである。
【図１０】携帯端末Ｔ２の変形動作を示すフローチャートであり、第４の実施例を示すフローチャートである。
【符号の説明】
Ｔ１、Ｔ２…携帯端末、
Ｐ…人、
１０…所定操作部、
２０…距離測定部、
２１…カメラ、
３０、３１…画像処理部、
４０…画面。
【図１】
2004266683.tif 000003
【図２】
2004266683.tif 000004
【図３】
2004266683.tif 000005
【図４】
2004266683.tif 000006
【図５】
2004266683.tif 000007
【図６】
2004266683.tif 000008
【図７】
2004266683.tif 000009
【図８】
2004266683.tif 000010
【図９】
2004266683.tif 000011
【図１０】
2004266683.tif 000012